(57)【要約】【課題】コンロ本体の前面の操作パネルに、熱源用の操作ボタン８Ｇ，８Ｒの非押し込み位置で操作ボタンの指当て面８０とほぼ面一になる前方への膨出部７０を形成し、膨出部に操作ボタンを臨ませるボタン穴７１を開設すると共に、ボタン穴の開口縁に操作ボタンの側面に沿って後方にのびる仕切壁７２を形成するものにおいて、操作ボタンが煮こぼれ汁により仕切板７２に広範囲に貼り付いて、操作不能になることを防止する。【解決手段】仕切壁７２の操作ボタン８Ｇ，８Ｒ側への投影面に操作ボタンの非押し込み位置でオーバーラップする操作ボタンの側面部分に、該側面部分の前縁部が仕切壁７２との間の隙間を狭める突条部８４として残るように、仕切壁７２との間の隙間を広げる凹部８５を形成する。【選択図】　図３
2004069179.tif 000002
【特許請求の範囲】
【請求項１】
コンロ本体の前面の操作パネルに、コンロ本体に設けた熱源用の操作ボタンを配置し、操作ボタンの押し込み操作で熱源を作動させるようにしたコンロにおいて、
操作ボタンに隣接する他部材の操作ボタン側への投影面に操作ボタンの非押し込み位置でオーバーラップする操作ボタンの側面部分に、該側面部分の前縁部が他部材との間の隙間を狭める突条部として残るように、他部材との間の隙間を広げる凹部を形成することを特徴とするコンロ。
【請求項２】
請求項１に記載のコンロであって、前記操作パネルに、前記操作ボタンを臨ませるボタン穴を開設すると共に、ボタン穴の開口縁に操作ボタンの側面に沿って後方にのびる仕切壁を形成するものにおいて、
この仕切壁を前記他部材として前記凹部を形成することを特徴とするコンロ。
【請求項３】
請求項１に記載のコンロであって、前記操作パネルに、前記操作ボタンの非押し込み位置で操作ボタンの指当て面とほぼ面一になる前方への膨出部を形成して、この膨出部に操作ボタンを臨ませるボタン穴を開設すると共に、ボタン穴の開口縁に操作ボタンの側面に沿って後方にのびる仕切壁を形成するものにおいて、
この仕切壁を前記他部材として前記凹部を形成することを特徴とするコンロ。
【発明の詳細な説明】
【０００１】
【発明の属する技術分野】
本発明は、コンロ本体の前面の操作パネルに、コンロ本体に設けた熱源用の操作ボタンを配置し、操作ボタンの押し込み操作で熱源を作動させるようにしたコンロに関する。
【０００２】
【従来の技術】
従来、この種のコンロとして、操作パネルに、操作ボタンの非押し込み位置で操作ボタンの指当て面とほぼ面一になる前方への膨出部を形成し、この膨出部に操作ボタンを臨ませるボタン穴を開設したものが知られている。そして、このものでは、操作ボタンを押し込んだときに、膨出部の裏側の空間がボタン穴を通して目視可能となることを防止するため、ボタン穴の開口縁に操作ボタンの側面に沿って後方にのびる仕切壁を形成している。
【０００３】
【発明が解決しようとする課題】
ところで、コンロでは、煮こぼれを生じたとき、煮こぼれ汁が操作パネルに垂れ落ちることがある。この場合、上記従来例の如く操作パネルの膨出部にボタン穴が開設されていると、煮こぼれ汁がボタン穴から操作ボタンと仕切壁との間の隙間に侵入し、操作ボタンの側面が仕切壁に煮こぼれ汁によって広範囲に貼り付き、操作ボタンが操作不能になる可能性がある。
【０００４】
また、操作ボタンに他の操作ボタンを隣接配置する場合も、操作ボタン間の隙間に煮こぼれ汁が侵入して、操作ボタン同士が貼り付くことがある。
【０００５】
本発明は、以上の点に鑑み、操作ボタンとこれに隣接する仕切壁や他の操作ボタン等から成る他部材との間に侵入する煮こぼれ汁による操作ボタンの貼り付きを有効に防止できるようにしたコンロを提供することをその課題としている。
【０００６】
【課題を解決するための手段】
上記課題を解決するために、本発明は、コンロ本体の前面の操作パネルに、コンロ本体に設けた熱源用の操作ボタンを配置し、操作ボタンの押し込み操作で熱源を作動させるようにしたコンロにおいて、操作ボタンに隣接する他部材の操作ボタン側への投影面に操作ボタンの非押し込み位置でオーバーラップする操作ボタンの側面部分に、該側面部分の前縁部が他部材との間の隙間を狭める突条部として残るように、他部材との間の隙間を広げる凹部を形成している。
【０００７】
ここで、操作パネルに、操作ボタンの非押し込み位置で操作ボタンの指当て面とほぼ面一になる前方への膨出部を形成して、この膨出部に操作ボタンを臨ませるボタン穴を開設すると共に、ボタン穴の開口縁に操作ボタンの側面に沿って後方にのびる仕切壁を形成する場合、または、膨出部を形成しなくても、操作パネルに開設するボタン穴の開口縁に操作ボタンの側面に沿って後方にのびる仕切壁を形成する場合には、この仕切壁を前記他部材として前記凹部を形成する。即ち、仕切壁の操作ボタン側への投影面に操作ボタンの非押し込み位置でオーバーラップする操作ボタンの側面部分に、該側面部分の前縁部が仕切壁との間の隙間を狭める突条部として残るように、仕切壁との間の隙間を広げる凹部を形成する。
【０００８】
上記の構成によれば、操作ボタンとこれに隣接する仕切壁や他の操作ボタン等から成る他部材との間に煮こぼれ汁が侵入しても、操作ボタンと他部材との間の隙間が凹部によって広くなっているため、操作ボタンが他部材に広範囲に貼り付くことはなく、操作ボタンの操作不良は生じない。
【０００９】
尚、操作ボタンと他部材との間の凹部による幅広の隙間が外観に現れると体裁が悪くなるが、この幅広の隙間は操作ボタンの側面部分の前縁部に残る突条部により目隠しされるから、体裁を損なうことはない。
【００１０】
【発明の実施の形態】
図１および図２は、本発明のコンロの実施形態である卓上式のグリル付き２口ガスコンロを示している。図中１はコンロ本体であり、コンロ本体１の上面には天板２が装着されている。天板２は、ガラス板２ａとこれを囲う外枠２ｂとで構成されており、ガラス板２ａに、コンロ本体１に設けた左右２個のコンロバーナ３，４を臨ませる左右２個のコンロ開口を開設すると共に、外枠２ｂの後部にグリル用の排気口２ｃを開設している。そして、両コンロ開口を囲うようにして左右２個の五徳５，５をガラス板２ａ上に載置している。尚、左側のコンロバーナ３は内炎式バーナで構成され、右側のコンロバーナ４は、鍋底温度センサ４ａを付設した外炎式バーナで構成されている。
【００１１】
コンロ本体１の前面には、中央のグリル扉６と、左右の操作パネル７Ｌ，７Ｒとが設けられている。右側の操作パネル７Ｒには、グリル用の第１操作ボタン８Ｇと、その左側に位置する右側コンロバーナ４用の第２操作ボタン８Ｒと、第１操作ボタン８Ｇの上方に位置する、グリルの上火バーナ用と下火バーナ用の上下一対の火力調整レバー９Ｇ１，９Ｇ２と、第２操作ボタン８Ｒの上方に位置する右側コンロバーナ４用の火力調整レバー９Ｒと、第２操作ボタン８Ｒの下方に位置する、第１と第２の両操作ボタン８Ｇ，８Ｒを操作不能にロックするロックレバー１０Ｒとが配置されている。また、左側の操作パネル７Ｌには、左側コンロバーナ３用の第３操作ボタン８Ｌと、その左側に位置する電池ケース１１と、第３操作ボタン８Ｌの上方に位置する左側コンロバーナ３用の火力調整レバー９Ｌと、第３操作ボタン８Ｌの下方に位置する、第３操作ボタン８Ｌを操作不能にロックするロックレバー１０Ｌとが配置されている。
【００１２】
各操作ボタン８Ｇ，８Ｒ，８Ｌは、図４に示す如く、前面を指当て面８０とするボタン本体から上方にのびる、各操作パネル７Ｒ，７Ｌの裏側に位置するレバー部８１を備えており、レバー部８１の上端部の左右にヒンジピン８２を突設して、各操作パネル７Ｒ，７Ｌの裏面に形成したヒンジ受け（図示せず）にヒンジピン８２を回動自在に係止することにより、各操作ボタン８Ｇ，８Ｒ，８Ｌをヒンジピン８２を支点にして後方に押し込み操作自在としている。そして、各操作ボタン８Ｇ，８Ｒ，８Ｌの押し込み操作により図示省略した各ガス制御装置を介して対応する各バーナが燃焼作動されるようにしている。尚、各操作ボタン８Ｇ，８Ｒ，８Ｌは、各ガス制御装置に組み込んだばねにより、常時は、前方の非押し込み位置に付勢保持される。また、ボタン本体の下面の後端部には、操作ロック用の爪部８３が突設されている。
【００１３】
各操作パネル７Ｒ，７Ｌには、各操作ボタン８Ｇ，８Ｒ，８Ｌの非押し込み位置で各操作ボタン８Ｇ，８Ｒ，８Ｌの指当て面８０とほぼ面一になる前方への膨出部７０が形成されており、この膨出部７０に各操作ボタン８Ｇ，８Ｒ，８Ｌを臨ませる各ボタン穴７１が開設されている。そして、各ボタン穴７１の開口縁に、図３に示す如く、各操作ボタン８Ｇ，８Ｒ，８Ｌの側面に沿って後方にのびる仕切壁７２を形成し、各操作ボタン８Ｇ，８Ｒ，８Ｌを押し込んだときに、膨出部７０の裏側の空間が各ボタン穴７１を通して目視可能となることを防止している。
【００１４】
ところで、このように膨出部７０を形成すると、煮こぼれを生じたときに、天板２から膨出部７０に煮こぼれ汁が落ち易くなる。そして、垂れ落ちた煮こぼれ汁が各ボタン穴７１に侵入し、各操作ボタン８Ｇ，８Ｒ，８Ｌの側面が煮こぼれ汁によって仕切壁７２に広範囲に貼り付き、各操作ボタン８Ｇ，８Ｒ，８Ｌが操作不能になる可能性がある。
【００１５】
そこで、本実施形態では、仕切壁７２の各操作ボタン８Ｇ，８Ｒ，８Ｌ側への投影面に各操作ボタン８Ｇ，８Ｒ，８Ｌの非押し込み位置でオーバーラップする各操作ボタン８Ｇ，８Ｒ，８Ｌの側面部分、換言すれば、各操作ボタン８Ｇ，８Ｒ，８Ｌが非押し込み位置に存する状態で、各操作ボタン８Ｇ，８Ｒ，８Ｌ側に投影した仕切壁７２の影に入る各操作ボタン８Ｇ，８Ｒ，８Ｌの側面部分に、該側面部分の前縁部、即ち、指当て面８０の側縁部が仕切壁７２との間の隙間を狭める突条部８４として残るように、仕切壁７２との間の隙間を広げる凹部８５を形成している。
【００１６】
これによれば、各操作ボタン８Ｇ，８Ｒ，８Ｌとこれに隣接する仕切壁７２との間に煮こぼれ汁が侵入しても、各操作ボタン８Ｇ，８Ｒ，８Ｌと仕切壁７２との間の隙間が凹部８５によって広くなっているため、各操作ボタン８Ｇ，８Ｒ，８Ｌが仕切壁７２に広範囲に貼り付くことはなく、操作ボタン８Ｇ，８Ｒ，８Ｌの操作不良は生じない。また、各操作ボタン８Ｇ，８Ｒ，８Ｌと仕切壁７２との間の凹部８５による幅広の隙間が外観に現れると体裁が悪くなるが、この幅広の隙間は各操作ボタン８Ｇ，８Ｒ，８Ｌの側面部分の前縁部に残る突条部８４により目隠しされるから、体裁を損なうこともない。
【００１７】
尚、本実施形態では、突条部８４が指当て面８０の側縁部からボタン本体の下面前部の側縁部に亘って延在するように形成されているが、使用者は斜め上方から操作パネル７Ｒ，７Ｌを見るのが通常であるから、指当て面８０の側縁部のみに突条部８４を形成しても、体裁を損なうことはない。また、操作パネル７Ｒ，７Ｌに膨出部７０を形成しなくても、ボタン穴７１の開口縁に操作ボタン８Ｇ，８Ｒ，８Ｌの側面に沿って後方にのびる仕切壁７２を形成する場合には、上記実施形態と同様に、操作ボタン８Ｇ，８Ｒ，８Ｌの側面部分に凹部８５を形成することで操作ボタン８Ｇ，８Ｒ，８Ｌの貼り付きを防止できる。
【００１８】
以上、操作ボタン８Ｇ，８Ｒ，８Ｌに仕切板７２が隣接配置される場合について説明したが、操作ボタンに他の操作ボタンといった仕切板７２以外の他部材を隣接配置する場合にも、他部材の操作ボタン側への投影面に操作ボタンの非押し込み位置でオーバーラップする操作ボタンの側面部分に、該側面部分の前縁部が他部材との間の隙間を狭める突条部として残るように、他部材との間の隙間を広げる凹部を形成することにより、他部材に対する操作ボタンの貼り付きを体裁を損なうことなく防止できる。
【００１９】
尚、上記実施形態では、操作ボタン８Ｇ，８Ｒ，８Ｌをヒンジピン８２を支点にして揺動するヒンジ式のものとしたが、前後方向に直線的に移動する直動式の操作ボタンを用いる場合にも同様に本発明を適用できる。また、本発明はガスコンロに限るものではなく、操作ボタンで通電作動される電磁誘導コイルやハロゲンランプ等の熱源を用いる電気コンロにも同様に本発明を適用できる。
【図面の簡単な説明】
【図１】本発明コンロの一例の斜視図。
【図２】図１のコンロの正面図。
【図３】図２のＩＩＩ―ＩＩＩ線で切断した拡大切断端面図。
【図４】図１のコンロに設けた操作ボタンの拡大側面図。
【符号の説明】
１…コンロ本体　３，４…バーナ（熱源）　７Ｒ，７Ｌ…操作パネル　７０…膨出部　７１…ボタン穴　７２…仕切壁　８Ｇ，８Ｒ，８Ｌ…操作ボタン　８０…指当て面　８４…突条部　８５…凹部
【図１】
2004069179.tif 000003
【図２】
2004069179.tif 000004
【図３】
2004069179.tif 000005
【図４】
2004069179.tif 000006